(57)【要約】  【課題】主として樹高３ｍ以上の高木を支持施工するための施工方法や支持施工用具のように大がかりとなることがなく、また、これらの施工方法や支持施工用具に比べてコストが安価であり、特に街路樹の支持施工等用として使用する場合に、従来の丸太による二脚支柱を用いた方法等に比べて支持強度が安定しており、且つこのような二脚支柱を用いた方法とコストが同程度若しくはそれより安価な、樹木の支持施工方法と支持施工用具を提供することを課題とする。  【解決手段】地面に敷設用シートを敷設し、該敷設用シート上に、樹木の根鉢を載置するための台座を取り付け、該台座上に前記根鉢を載置し、該根鉢の上面に根鉢押え用シートを載置し、該根鉢押え用シートを根鉢押え用シート固定手段によって固定して施工することを特徴とする。【選択図】図２３
2010124749.tif 000002
【特許請求の範囲】
【請求項１】
地面に敷設用シート（１）を敷設し、該敷設用シート（１）上に、樹木（１６）の根鉢（１７）を載置するための台座（２）を取り付け、該台座（２）上に前記根鉢（１７）を載置し、該根鉢（１７）の上面に根鉢押え用シート（７）を載置し、該根鉢押え用シート（７）を根鉢押え用シート固定手段によって固定して施工することを特徴とする樹木の支持施工方法。
【請求項２】
予め地面に形成された植穴（１５）の底壁面（２０）に敷設用シート（１）を敷設し、該敷設用シート（１）上に、樹木（１６）の根鉢（１７）を載置するための台座（２）を取り付け、該台座（２）上に前記根鉢（１７）を載置し、該根鉢（１７）の上面に根鉢押え用シート（７）を載置し、該根鉢押え用シート（７）を根鉢押え用シート固定手段によって固定し、その後、植穴（１５）内に土を収容して施工することを特徴とする樹木の支持施工方法。
【請求項３】
敷設用シート（１）上に取り付けられた台座（２）を、さらに台座固定手段によって固定する請求項１又は２記載の樹木の支持施工方法。
【請求項４】
台座固定手段が、台座（２）を上側から押えて保持しつつ地面に打ち込む台座保持体（４）と、該台座保持体（４）に掛止されて該台座保持体（４）より深く地面に打ち込む打込体（５）とからなる台座固定具（３）である請求項１乃至３記載の樹木の支持施工方法。
【請求項５】
根鉢押え用シート固定手段が、根鉢押え用シート（７）と、台座（２）とに架け渡して結束することにより根鉢押え用シート（７）を固定する結束バンド（１８）である請求項１乃至４記載の樹木の支持施工方法。
【請求項６】
地面に敷設される敷設用シート（１）と、該敷設用シート（１）上に取り付けられ且つ樹木（１６）の根鉢（１７）を載置するための台座（２）と、前記根鉢（１７）の上面に載置される根鉢押え用シート（７）と、該根鉢押え用シート（７）を固定する根鉢押え用シート固定手段とを具備して構成されていることを特徴とする樹木の支持施工用具。
【請求項７】
敷設用シート（１）上に取り付けられた台座（２）が、さらに台座固定手段によって固定される請求項６記載の樹木の支持施工用具。
【請求項８】
台座固定手段が、台座（２）を上側から押えて保持しつつ地面に打ち込む台座保持体（４）と、該台座保持体（４）に掛止されて該台座保持体（４）より深く地面に打ち込む打込体（５）とからなる台座固定具（３）である請求項６又は７記載の樹木の支持施工用具。
【請求項９】
根鉢押え用シート固定手段が、根鉢押え用シート（７）と、台座（２）とに架け渡されて結束されることにより根鉢押え用シート（７）を固定する結束バンド（１８）である請求項６乃至８のいずれかに記載の樹木の支持施工用具。
【発明の詳細な説明】
【技術分野】
【０００１】
本発明は、樹木の支持施工方法と、支持施工用具、特に街路樹等用として施工される樹木の支持施工方法と、支持施工用具に関する。
【背景技術】
【０００２】
近年、都市緑化等の要請が高まり、それに応じて都市部における種々の場所、たとえば、公園、歩道、博覧会場、駐車場、プラザ、広場、公開空地等の場所で、人為的に植設される樹木を支持しながら施工するための施工方法が実施されている。そして、このような支持施工方法においては、樹木の根鉢を地下部分で固定する必要があり、そのような支持施工方法や支持施工用具として従来から種々の方法や用具が採用されている。
【０００３】
たとえば、根鉢の周囲にワイヤー等の紐状体を掛け回し、その紐状体をアンカー等の打込部材に係止し、その打込部材を地中に打ち込んで根鉢を固定する方法（下記特許文献１の図１２等）や、そのアンカーに代えて根鉢を載置材に載置し、その載置材に紐状体を掛け回して根鉢を固定する方法（下記特許文献２、３）、或いは根鉢の側面に沿って杭状の部材を打ち込む方法（下記特許文献４、５）等が用いられている。
【０００４】
このような方法は、たとえば博覧会場、プラザ、広場、公開空地等の都市部における場所であって、主として樹高３ｍ以上の高木を支持施工するために採用されており、その施工方法や当該施工方法に用いられる支持用具も大がかりであり、またある程度の施工のコストも必要とされる。
【０００５】
その一方で、たとえば街路樹に植設される樹木のように、樹高３ｍ以下の比較的小さな樹木の支持施工には、旧来からの丸太による二脚支柱を用いた方法が現在でも採用されている。しかし、このような丸太による二脚支柱を用いた方法を採用する場合、樹木を支持する強度が必ずしも十分ではない。
【０００６】
【特許文献１】特開平５−１５３８７７号公報
【特許文献２】特開平８−９７９６号公報
【特許文献３】特開平１１−１１３４３０号公報
【特許文献４】特開平８−１９６１５４号公報
【特許文献５】特開平８−２０５６９６号公報
【発明の開示】
【発明が解決しようとする課題】
【０００７】
本発明は、このような問題点を解決するためになされたもので、主として樹高３ｍ以上の高木を支持施工するための施工方法や支持施工用具のように大がかりとなることがなく、また、これらの施工方法や支持施工用具に比べてコストが安価であり、特に街路樹の支持施工等用として使用する場合に、従来の丸太による二脚支柱を用いた方法等に比べて支持強度が安定しており、且つこのような二脚支柱を用いた方法とコストが同程度若しくはそれより安価な、樹木の支持施工方法と支持施工用具を提供することを課題とするものである。
【課題を解決するための手段】
【０００８】
本発明は、このような課題を解決するために、地面に敷設用シート１を敷設し、該敷設用シート１上に、樹木１６の根鉢１７を載置するための台座２を取り付け、該台座２上に前記根鉢１７を載置し、該根鉢１７の上面に根鉢押え用シート７を載置し、該根鉢押え用シート７を根鉢押え用シート固定手段によって固定して施工することを特徴とする樹木の支持施工方法を提供する。このような支持施工方法は、予め地面に形成された植穴１５内に根鉢１７を収容して支持施工するいわゆる地下支柱に主として適用される。その場合、上記敷設用シート１は、植穴１５の底壁面２０に敷設される。
【０００９】
また本発明は、地面に敷設される敷設用シート１と、該敷設用シート１上に取り付けられ且つ樹木１６の根鉢１７を載置するための台座２と、前記根鉢１７の上面に載置される根鉢押え用シート７と、該根鉢押え用シート７を固定する根鉢押え用シート固定手段とを具備して構成されていることを特徴とする樹木の支持施工用具を提供する。
【００１０】
敷設用シート１上に取り付けられた台座２は、さらに台座固定手段によって固定することが望ましい。このような台座固定手段としては、たとえば台座２を上側から押えて保持しつつ地面に打ち込む台座保持体４と、該台座保持体４に掛止されて該台座保持体４より深く地面に打ち込む打込体５とからなる台座固定具３のようなものが使用される。さらに、根鉢押え用シート固定手段としては、根鉢押え用シート７と、台座２とに架け渡して結束することにより根鉢押え用シート７を固定する結束バンド１８のようなものが用いられる。
【発明の効果】
【００１１】
本発明においては、上述のように、地面に敷設用シートを敷設し、該敷設用シート上に、樹木の根鉢を載置するための台座を取り付け、該台座上に前記根鉢を載置し、該根鉢の上面に根鉢押え用シートを載置し、該根鉢押え用シートを根鉢押え用シート固定手段によって固定して施工されるため、従来の丸太による二脚支柱を用いた方法等に比べて支持強度が安定しており、且つこのような二脚支柱を用いた方法とコストが同程度若しくはそれより安価な樹木の支持施工方法と支持施工用具を提供しうるに至った。
【発明を実施するための最良の形態】
【００１２】
本発明の樹木の支持施工方法は、上述のように、地面に敷設用シートを敷設し、該敷設用シート上に、樹木の根鉢を載置するための台座を取り付け、該台座上に前記根鉢を載置し、該根鉢の上面に根鉢押え用シートを載置し、該根鉢押え用シートを根鉢押え用シート固定手段によって固定して施工する方法である。
【００１３】
本発明の樹木の支持施工方法は、主として地下支柱と称される樹木の支持施工方法に主として適用される。従って、敷設用シートは、予め地面に形成された植穴の底壁面に敷設される。このように植穴の底壁面に敷設用シートを敷設する場合、施工現場において、敷設用シート上に台座を取り付けることも可能ではあるが、施工を容易にし、施工時間を短縮する観点からは、台座は、予め敷設用シート上に取り付けられていることが望ましい。このような敷設用シート上への台座の取り付けは、たとえば接着剤による接着等によって行われるが、他の手段によって取り付けることも可能である。
【００１４】
また、本発明の樹木の支持施工用具は、地面に敷設される敷設用シートと、該敷設用シート上に取り付けられ且つ樹木の根鉢を載置するための台座と、前記根鉢の上面に載置される根鉢押え用シートと、該根鉢押え用シートを固定する根鉢押え用シート固定手段とを具備して構成されているものである。
【００１５】
敷設用シートは、地面、特に植穴の底壁面に敷設して使用されるもので、敷設された敷設用シートの周辺部に埋め戻した土壌の重量によって、初期は樹木の安定性に寄与し、またシート故に根の生育が阻害されずに経年で根がしっかり張り、強度が保たれる。敷設用シートの材質は特に限定されるものではないが、自然環境破壊防止の観点から、土中に埋設されて分解しうるような分解可能な素材を用いることが望ましい。分解可能な素材としては、たとえばヤシ繊維、麻、綿、ジュート等の天然繊維や藁、紙等で構成することが可能である。これらのうちでも、取り扱いの容易さやコスト面から、ヤシ繊維や麻を用いることが望ましい。
【００１６】
また台座は、初期の根鉢の静置安定性を良好にするもので、後述のように、根鉢が台座上で回転等により不用意に位置ずれするのを防止するものである。台座の材質も特に限定されるものではないが、木製のものを用いることが望ましい。木製の台座を用いることで、敷設用シートと同様に、土中に埋設されて一定年数経過したときに分解させることができ、ひいては自然環境破壊防止に寄与するからである。また、木製のものとすることで、台座のコストを安価なものとすることができるからである。
【００１７】
台座の形状も特に限定されるものではないが、根鉢を載置するのに適した形状に形成されることが望ましい。たとえば木製の角柱状の枠部材を４辺に配置して平面略正方形の枠状に形成されたようなものが用いられる。このような平面略正方形の枠状のものを用いることで、一般には丸みを帯びた形態の根鉢が、枠状の台座に係止されつつ、その台座に載置されることとなり、施工時において根鉢が台座上で不用意に位置ずれするのが防止されることとなる。
【００１８】
台座は、さらに台座固定手段によって固定することが可能である。このような台座固定手段も特に限定されるものではないが、たとえば台座が上記のような４辺に木製の枠部材を配置して平面略正方形の枠状に形成されたようなものの場合には、その台座の枠部材に跨がるようにして地中に打ち込まれるような部材を用いることができる。より具体的には、たとえば台座を上側から押えて保持しつつ地面に打ち込む台座保持体と、該台座保持体に掛止されて該台座保持体より深く地面に打ち込む打込体との２つの部材からなる台座固定具のようなものを用いることができる。
【００１９】
上述のように、台座２は、たとえば接着剤による接着等によって敷設用シート１上に取り付けられるが、そのような取付手段に加えて上記のような台座固定手段によって台座２を固定することで、台座２が敷設用シート１から不用意に離脱して浮き上がるようなことを好適に防止することができる。尚、上記のような接着剤による接着等の取付手段を採用せずに、上記台座固定具３のような台座固定手段のみによって台座２を敷設用シート１に取り付けることも可能である。この場合は、台座固定手段自体が、敷設用シート１上への台座２の取付手段となる。
【００２０】
根鉢押え用シートは、根鉢を上面側から押えて固定するためのものであるが、シートであるが故に、根鉢全体を押えることとなって、根鉢への食い込みが少ないものである。特に小さい樹木の根鉢は弱いので、根鉢押え用シートのようなシート状部材で
根鉢を押えるのが効果的である。根鉢押え用シートの材質も特に限定されるものではなく、合成繊維や天然繊維を用いることができる。自然環境破壊防止の観点からは、本来は上記敷設用シートと同様に、麻、綿、ヤシ繊維、ジュート等の天然繊維を用いることが望ましいが、根鉢押え用シートは、根鉢押え用シート固定手段によって固定されるので、そのような根鉢押え用シート固定手段による緊締力等の外力が生じたときに、根鉢押え用シートが不用意に引き裂けるのを防止する観点からは、強度の強い合成繊維を用いることが望ましい。合成繊維としては、汎用性やコストの面から、たとえばポリプロピレンのようなものが用いられる。
【００２１】
さらに根鉢押え用シート固定手段としては、たとえば、根鉢押え用シートと、台座とに架け渡して結束することにより根鉢押え用シートを固定する結束バンドのようなものが用いられる。このような結束バンドを根鉢押え用シートと台座とに架け渡す場合、たとえば根鉢押え用シートには結束バンドが挿入可能な孔を穿設し、台座には結束バンドを掛止することができる掛止具を取り付け、結束バンドの一端部を掛止具に掛止させるとともに結束バンドの他端部側を根鉢押え用シートの孔に挿入し、その孔に挿入された結束バンドの他端部側を台座に取り付けられた掛止具側に戻し、その掛止具に結束バンドの他端部に掛止させることによって、結束バンドが根鉢押え用シートと台座とに架け渡されることとなる。
【００２２】
このような結束バンドとしては、たとえば頭部と胴部とからなり、頭部に孔を有し、胴部の先端側の先端部を頭部に孔に挿入することで、逆方向への移動が禁止されるような、いわゆる逆止的な機能を有する結束バンドを用いることができる。このような結束バンドは、一般にはインシュロック（登録商標：ヘマランタイトン社製）と称される結束バンドである。結束バンドの材質も特に限定されるものではないが、たとえばポリアミド（脂肪族ポリアミド）やポリプロピレンのような合成樹脂製のものを用いることができる。このような逆止的な機能を有する結束バンドを用いることで、掛止具からの結束バンドの不用意な離脱を好適に防止することができる。また、このような結束バンドは、結束するための作業が簡単で、その作業を短時間に行うことができ、緩みにくく、外れにくいという利点を有する。ただし、このような逆止的な機能を有する結束バンドに代えて、一般の紐状体を用いることも可能である。
【００２３】
結束バンドを掛止する掛止具としては、たとえば上記のような結束バンドが掛止されるように側面略Ｓ字状に形成された掛止体と、該掛止体を掛止するとともに、台座に打ち込んで固定することができる固定体との２つの部材からなるようなものを用いることか可能である。
【００２４】
以下、本発明のより具体的な実施形態について、図面に従って説明する。
【００２５】
本実施形態の支持施工用具は、図１乃至図６に示すように、地面に敷設される敷設用シート１と、該敷設用シート１上に取り付けられ且つ樹木の根鉢を載置するための台座２と、該台座２を固定する台座固定具３と、根鉢の上面を被覆する根鉢押え用シート７と、該根鉢押え用シート７と台座２とに架け渡されて根鉢押え用シート７を固定する結束バンド１８と、該結束バンド１８を掛止する掛止具１１とを具備して構成されている。
【００２６】
敷設用シート１は、図１に示すように、平面略正方形状に形成されたもので、全体がヤシ繊維で構成されている。台座２は、図２に示すように、４本の木製の角柱２ａ、２ｂ、２ｃ、２ｄが接続されて、全体が平面略正方形の枠状に形成されている。４本の角柱２ａ、２ｂ、２ｃ、２ｄの接続は、たとえば接着剤による接着等によって行われる。
【００２７】
台座固定具３は、図３に示すように、台座２を上側から押えて保持する台座保持体４と、該台座保持体４を固定すべく地面に打ち込む打込体５とからなるものである。台座保持体４は、図３に示すように、台座２を上側から押える部分となる上部押え部４ａと、該上部押え部４ａの両端側から立ち下がり形成された１対の立ち下り部４ｂとで構成され、全体として側面略コ字状に形成されている。そして、立ち下り部４ｂの先端部４ｃは、先鋭な形状に形成されている。
【００２８】
打込体５は、図３に示すように、略リング状の頭部５ａと、該頭部５ａの下部に形成された細長い胴部５ｂとからなり、該胴部５ｂの先端部５ｃは、先鋭な形状に形成されている。そして、略リング状の頭部５ａの孔部６は、前記台座保持体４の上部押え部４ａが挿入可能となるような内径に形成されている。この打込体５と台座保持体４は、ともに鉄等の金属で構成されている。
【００２９】
根鉢押え用シート７は、図４に示すように、平面略正方形状に形成されたもので、全体がポリプロピレンからなる合成繊維で構成されている。根鉢押え用シート７の略中央には、樹木を挿入するための円形の樹木挿入孔８が穿設されており、該樹木挿入孔８に連通して１条の切込み９が、前記根鉢押え用シート７の１角のコーナー部に向かうように形成されている。また、根鉢押え用シート７の４角コーナー部のうちの３角のコーナー部には、後述する結束バンドを挿入するための挿入孔１０がそれぞれ１個ずつ穿設され、切込み９が向かうように形成された１角のコーナー部には、前記切込み９に跨がるように、２個の挿入孔１０が穿設されている。この２個の挿入孔１０、１０は、切込み９に対して非対称な位置に穿設されている。
【００３０】
結束バンド１８は、図５に示すように、細長い胴部１８ｂの上部に該胴部１８ｂよりも幅広な頭部１８ａが形成され、前記胴部１８ｂの下部の先端部１８ｃが先鋭な形状に形成されたものである。図５には図示されていないが、結束バンド１８の頭部１８ａには、下部の先端部１８ｃを頭部１８ａ側に戻すように胴部１８ｂを曲げた状態において、該先端部１８ｃが挿入されるような孔が穿設されている。この孔は、挿入方向に先端部１８ｃが挿入されることは許容するが、その挿入方向と逆方向への先端部１８ｃの抜け出しを好適に禁止しうるような、いわゆる逆止的な機能を有するものである。結束バンド１８は、全体がポリアミドで構成されている。
【００３１】
掛止具１１は、図６に示すように、結束バンド１８が掛止されるように側面略Ｓ字状に形成された掛止体１２と、該掛止体１２を掛止するとともに、台座２に打ち込んで固定する固定体１３とからなるものである。固定体１３は、図６に示すように、略リング状の頭部１３ａと、該頭部１３ａの下部に形成された胴部１３ｂとからなり、該胴部１３ｂの先端部１３ｃは、先鋭な形状に形成されている。そして、略リング状の頭部１３ａの孔部１４は、前記側面略Ｓ字状の掛止体１２が挿入可能となるような内径に形成されている。この掛止体１２と固定体１３は、ともに鉄等の金属で構成されている。
【００３２】
敷設用シート１と台座２とは、図７に示すように前記台座２を前記敷設用シート１上に接着剤等で接着することで予め一体化されている。また、掛止具１１は、図８に示すように、台座２の４角コーナー部に予め固定して取り付けられている。より具体的には、図９に示すように、掛止具１１の固定体１３が台座２に打ち込まれ、該固定体１３の頭部１３ａの孔部１４内に掛止体１２が挿入されて該掛止体１２が固定体１３に掛止された状態とされることによって、掛止具１１が台座２に取り付けられている。
【００３３】
この場合において、固定体１３は、図９に示すように、頭部１３ａのみが裸出し、胴部１３ｂのほとんどが台座２内に埋設されるような状態で台座２に打ち込まれることによって取り付けられている。尚、図９においては、便宜上、側面略Ｓ字状の掛止体１２を起立させた状態に図示しているが、この掛止体１２は固定体１３に対して揺動自在に掛止されているので、実際には、掛止体１２は固定体１３に対して寝かせた状態に取り付けられることとなる。
【００３４】
次に、上記のような構成からなる樹木の支持施工用具を用いて、樹木の支持施工を行う方法について説明する。
【００３５】
先ず、図１０乃至図１２に示すように、予め形成された植穴１５内に、台座２が一体化された敷設用シート１を収納し、その植穴１５の底壁面２０に前記敷設用シート１を載置する。この場合において、敷設用シート１の外径が植穴１５の内径よりも大きく形成されている場合には、図１１及び図１２に示すように、敷設用シート１の端部１ａが、植穴１５の側壁面２１側に折り曲げられることとなる。掛止具１１が台座２に予め取り付けられていることは上述のとおりである。
【００３６】
次に、図１３乃至図１５に示すように、４個の台座固定具３を、台座２の４辺を構成する角柱２ａ、２ｂ、２ｃ、２ｄにそれぞれ取り付ける。より具体的には、図１６に示すように、台座保持体４の上部押え部４ａを台座２の上面に接触させ、台座保持体４の１対の立ち下り部４ｂ、４ｂのうち、一方の立ち下り部４ｂを台座２の側面に沿わせ、他方の立ち下り部４ｂを台座２の側面からわずかに離間するようにして両立ち下り部４ｂ、４ｂの先端部４ｃ、４ｃを図１６及び図１７に示すように植穴１５の底壁面２０に打ち込む。これらの台座保持体の先端部４ｃ、４ｃは、同図のように、敷設用シート１を貫通して底壁面２０に打ち込まれることとなる。
【００３７】
そして、台座２の側面から離間するようにして底壁面２０に打ち込まれる他方の立ち下り部４ｂ側から、台座保持体４を予め打込体５の頭部５ａの孔部６に挿入させ、さらに図１６及び図１７に示すように、台座保持体４の上部押え部４ａを打込体５の頭部５ａの孔部６に挿入させた状態で、打込体５の胴部５ｂを台座２の側面に沿わせ、該打込体５の胴部５ｂ及び先端部５ｃを植穴１５の底壁面２０に打ち込む。これらの打込体５の先端部５ｃ等も、上記台座保持体の先端部４ｃと同様に、敷設用シート１を貫通して底壁面２０に打ち込まれることとなる。
【００３８】
この場合において、台座２の上面は台座保持体４の上部押え部４ａに接触した状態とされて、台座保持体４の先端部４ｃ、４ｃが植穴１５の底壁面２０に打ち込まれ、さらにその台座保持体４の上部押え部４ａが、打込体５の頭部５ａの孔部６に挿入させた状態で、打込体５の先端部５ｃが植穴１５の底壁面２０に打ち込まれているので、これらの３本の先端部４ｃ、４ｃ、５ｃの打ち込みによって、台座保持体４の上部押え部４ａによる押圧力が台座２に対して有効に作用し、その結果、台座２は、不用意に位置ずれを生じさせることなく、敷設用シート１上で確実に固定されることとなる。
【００３９】
次に、図１８乃至図２０に示すように、台座２上に、樹木１６の根鉢１７を載置する。この場合、台座２は、上述のように台座保持体４及び打込体５からなる台座固定具３によって確実且つ強固に固定されているので、根鉢１７を載置する作業を行う際に、台座２が敷設用シート１から不用意に剥離されて、浮き上がるようなことがなく、また位置ずれすることもない。
【００４０】
次に、図２１及び図２２に示すように、根鉢１７の上面に根鉢押え用シート７を載置する。より具体的には、根鉢押え用シート７に形成された切込み９の部分を起点とし、その切込み９に連通する樹木挿入孔８に樹木１６が挿入されるようにして、根鉢押え用シート７を根鉢１７の上面に載置する。この場合において、切込み９は、樹木挿入孔８から、４角コーナー部のうちの１箇所のコーナー部に向かうように形成されているため、根鉢押え用シート７の樹木挿入孔８に樹木１６を挿入させる際に、切込み９が好適に開裂し、それによって樹木挿入孔８に樹木１６を挿入させる作業を容易に行うことができる。
【００４１】
次に、図２３及び図２４に示すように、前記根鉢押え用シート７と掛止具１１とに４本の結束バンド１８を架け渡す。より具体的には、同図に示すように、結束バンド１８の一端部を掛止具１１の掛止体１２に掛止させ、その状態で結束バンド１８の他端部側を根鉢押え用シート７の挿入孔１０に順次挿入し、その結束バンド１８の他端部側を掛止具１１側に戻して、該結束バンド１８の他端部も掛止具１１の掛止体１２に掛止させる。
【００４２】
この場合、４本の結束バンド１８のうち、３本の結束バンド１８は、図２５に示すように３角コーナー部の１個の挿入孔１０に挿入して掛止具１１側に戻し、１本の結束バンド１８は、図２５に示すように切込み９が形成された１角のコーナー部の２個の挿入孔１０に挿入して掛止具１１側に戻し、それぞれ掛止具１１に掛止させる。このようにして、４本の結束バンド１８は、根鉢押え用シート７の４角コーナー部に穿設された挿入孔１０にそれぞれ挿入され、台座２の４角コーナー部に取り付けられた掛止具１１に該結束バンド１８の両端部が掛止されることとなる。
【００４３】
この場合において、結束バンド１８の両端部は掛止具１１の掛止体１２の一端側に掛止され、その掛止体１２の他端側に掛止された固定体１３が台座２に打ち込まれているため、樹木１６に作用する傾倒力等によって結束バンド１８に張力が生じても、結束バンド１８は不用意に離脱することがなく、掛止体１２と根鉢押え用シート７とに架け渡された結束バンド１８に好適に張力が生じて、根鉢１７は確実に固定されることとなる。また結束バンド１８は、上述のような逆止的な機能を有するものであるので、掛止体１２と根鉢押え用シート７とに架け渡された結束バンド１８が不用意に緩むこともない。
【００４４】
その後、図２６に示すように、土１９を植穴１５内に収容することによって、その土１９に根鉢１７が埋設され、樹木の支持施工が完了する。
【００４５】
以上のように、本実施形態の樹木の支持施工用具は、ヤシ繊維で構成された敷設用シート１と、ポリプロピレン繊維で構成された根鉢押え用シート７と、木製の台座２と、ポリアミドで構成された結束バンド１８とを、根鉢を保持するための主要な構成部材とし、その他の補助的な構成部材として、台座２を固定する鉄製の台座固定具３、結束バンド１８を掛止する鉄製の掛止具１１を用い、これらのみで支持施工用具を構成したので、全体として支持施工用具が簡易な構成のものとなり、街路樹のように樹高３ｍ以下の比較的小型の樹木の支持施工に適した支持施工用具を提供しうるに至った。
【００４６】
また、敷設用シート１上の台座２と根鉢押え用シート７とに結束バンド１８を架け渡し、台座固定具３によって台座２を固定しているので、街路樹のような樹木の支持施工用として用いられていた従来の丸太による二脚支柱を用いた方法等に比べて根鉢の支持強度が良好となる。
【００４７】
さらに敷設用シート１が土で覆われているので、その土の重量が敷設用シート１に作用するとともに、敷設用シート１に取り付けられた台座２、及び結束バンド１８の架け渡しによって台座２に一体化された根鉢押え用シート７の全体にも作用し、従って、根鉢１７を地下部分において好適に支持することができるので、上記二脚支柱を用いた方法のように地上部分で樹木を支持する方法に比べて、根鉢の支持強度が一層良好となる。
【００４８】
また、台座２が、４本の木製の角柱２ａ、２ｂ、２ｃ、２ｄが接続されて、全体が平面略正方形の枠状に形成されているため、このような平面略正方形の枠状の台座２に根鉢１７を載置したときに、根鉢１７の底部に引っ掛かりが生じ、それによって根鉢１７の不用意な移動がより好適に防止されることとなる。
【００４９】
さらに、敷設用シート１、及び台座２という、根鉢を保持するための主要な構成部材が、天然繊維や木製のもので構成されているので、支持施工用具が土中に埋設されて一定年数経過すると、これらの構成部材は分解されることとなる。また、合成繊維からなる根鉢押え用シート７や合成樹脂製の結束バンド１８は土中で分解可能な素材ではないが、一定年数経過によりある程度劣化しうるものである。さらに、分解しにくい金属製の台座固定具３や掛止具１１は、部品的な構成部材で小型のものであるので、地中に残存しても、自然環境破壊の影響は少ないものである。いずれにしても、本実施形態では、大型の金属製の構成部材を用いていないので、自然環境破壊防止に寄与することとなる。
【００５０】
さらに、根鉢押え用シート７を固定する固定手段として、従来、高木の樹木の支持施工に一般に用いられていたウインチのような機械的な用具を用いる必要がなく、結束バンド１８のようなきわめて簡易な構成部材を用いることができるので、施工を一層容易にし、コストを一層低減させることができる。
【００５１】
さらに、いずれの構成部材も安価なものであるので、支持施工用具全体のコストも安価となる。
【００５２】
尚、上記実施形態では、上述のように、予め地面に形成された植穴１５内に根鉢１７を収容して根鉢１７を地下部分で支持する、いわゆる地下支柱に適用する場合について説明したが、本発明はこのような地下支柱に適用する場合に限定されるものではない。
【００５３】
また、敷設用シート１、台座２、台座固定具３、根鉢押え用シート７、結束バンド１８等の形状や材質も上記実施形態に限定されるものではなく、本発明の意図する範囲内で任意に変更可能である。
【図面の簡単な説明】
【００５４】
【図１】一実施形態の支持施工用具の構成部材である敷設用シートの平面図。
【図２】台座の平面図。
【図３】台座固定具の正面図。
【図４】根鉢押え用シートの平面図。
【図５】結束バンドの正面図。
【図６】掛止具を分解して示す正面図。
【図７】台座を敷設用シート上に取り付けた状態の平面図。
【図８】掛止具を台座に取り付けた状態の平面図。
【図９】図８のＡ−Ａ線拡大断面図。
【図１０】掛止具を取り付けた台座を一体化させた敷設用シートを、植穴の底壁面に敷設した状態の概略平面図。
【図１１】図１０のＢ−Ｂ線断面図。
【図１２】図１０のＣ−Ｃ線断面図。
【図１３】台座固定具で台座を固定した状態を示す概略平面図。
【図１４】図１３のＤ−Ｄ線断面図。
【図１５】図１３のＥ−Ｅ線断面図。
【図１６】図１４の要部拡大断面図。
【図１７】図１５の要部拡大断面図。
【図１８】台座に根鉢を載置した状態を示す概略平面図。
【図１９】図１８のＦ−Ｆ線断面図。
【図２０】図１８のＧ−Ｇ線断面図。
【図２１】根鉢押え用シートを根鉢の上面に載置した状態の概略平面図。
【図２２】図２１のＨ−Ｈ線断面図。
【図２３】紐状体を掛止具と根鉢押え用シートとに架け渡した状態の概略平面図。
【図２４】図２３のＩ−Ｉ線断面図。
【図２５】結束バンドを挿入孔に挿入させる状態を示す要部拡大平面図。
【図２６】土を植穴に収容して根鉢を土で埋設した状態の概略断面図。
【符号の説明】
【００５５】
１  敷設用シート
２  台座
３  台座固定具
４  台座保持体
５  打込体
７  根鉢押え用シート
１１  掛止具
１８  結束バンド
【図１】
2010124749.tif 000003
【図２】
2010124749.tif 000004
【図３】
2010124749.tif 000005
【図４】
2010124749.tif 000006
【図５】
2010124749.tif 000007
【図６】
2010124749.tif 000008
【図７】
2010124749.tif 000009
【図８】
2010124749.tif 000010
【図９】
2010124749.tif 000011
【図１０】
2010124749.tif 000012
【図１１】
2010124749.tif 000013
【図１２】
2010124749.tif 000014
【図１３】
2010124749.tif 000015
【図１４】
2010124749.tif 000016
【図１５】
2010124749.tif 000017
【図１６】
2010124749.tif 000018
【図１７】
2010124749.tif 000019
【図１８】
2010124749.tif 000020
【図１９】
2010124749.tif 000021
【図２０】
2010124749.tif 000022
【図２１】
2010124749.tif 000023
【図２２】
2010124749.tif 000024
【図２３】
2010124749.tif 000025
【図２４】
2010124749.tif 000026
【図２５】
2010124749.tif 000027
【図２６】
2010124749.tif 000028